(57)【要約】【課題】テーピング電子部品に用いる電子部品用端子に関し、自動実装機に供給してプリント配線基板に装着する際、切断用カッターの摩耗を低減させ、かつ半田付け時の半田の濡れ性をよくした電子部品用端子を提供することを目的とする。【解決手段】表裏両面にメッキ層２１，２２を有する金属板を打抜いて形成した角形断面の端子１７，１８の一部１７Ｃ，１８Ｃおよび１７Ｄ，１８Ｄを、表裏両面から圧延成形加工して円形断面にすると共に、その全周を側面の破断面を含みメッキ層２１，２２で覆う構成としたものである。【選択図】図１
2004146389.tif 000002
【特許請求の範囲】
【請求項１】
表裏両面にメッキ層を有する金属板を打抜き加工して形成された角形断面の板状材からなり、本体部の一端に電子部品に接続される接続部を、他端にテーピング部材に貼付けられるテーピング部を有し、上記接続部ならびにテーピング部が角形断面に形成されて表裏両面にのみメッキ層を有し、かつ本体部の少なくとも一部が円形または多角形断面に形成されて全周にメッキ層を有する電子部品用端子。
【請求項２】
プリント配線基板への実装時に折曲げおよび切断される部分を円形または多角形断面とした請求項１記載の電子部品用端子。
【請求項３】
接続部に一体で接点を形成した請求項１または２記載の電子部品用端子。
【発明の詳細な説明】
【技術分野】
【０００１】
　本発明は各種電子機器に使用される電子部品の一部を構成する電子部品用端子に関するものである。
【背景技術】
【０００２】
　最近の電子部品は、端子部をインサート成形してケースに取付けることが多くなると共に、端子の一端に接点を形成したり、板状の金属板をケースの外周から折曲げて端子を構成することが増えつつある。
【０００３】
　また、スイッチや可変抵抗器などの電子機器に組込まれた後に外部から操作をするような電子部品においては、取付け強度の点からプリント配線基板の取付孔に挿入するタイプの端子が必要とされている。
【０００４】
　従来のこの種の電子部品用端子を図８により説明する。
【０００５】
　図８は、従来の電子部品用端子を備えた電子部品の例である自動実装用プッシュオンスイッチを示し、（ａ）は正面図、（ｂ）は側面図である。
【０００６】
　同図において、成形樹脂よりなるスイッチケース１の内部には二つの固定接点および可動接点が組込まれ、この固定接点と一体になった二本の板状の端子２がスイッチケース１の底面から引出され、この板状の端子２は折曲げられて下方に突出するように構成されている。
【０００７】
　また、このスイッチケース１の開口面にはカバー３が取付けられ、その中央からは可動接点を駆動するための操作ノブ４が上方に突出している。
【０００８】
　このような構成において、板状の端子２や固定接点は表裏両面にメッキ層を有する金属フープ板を所定の形状に打抜いたものを成形金型にセットしてスイッチケース１を成形し、板状の端子２をインサート成形する方法がとられている。
【０００９】
　このようにして製造したプッシュオンスイッチは、最終的に板状の端子２を長くした直線部２Ａの先端２Ｂを台紙５と粘着テープ６を用いてテーピングし、自動実装用電子部品としてセットメーカに供給される。
【００１０】
　このように構成されてセットメーカに供給された電子部品は、自動実装機を用いてプリント配線基板に組込まれるが、その際、電子部品をテーピング部材から分離するために板状の端子２は切断用カッターにより所定の長さに切断される。
【００１１】
　そして、図９（ａ），（ｂ）の実装状態を説明する一部断面側面図と下面図に示すように、プリント配線基板７の取付孔８に挿入され、抜けないように先端部２Ｃを折曲げた後に半田付けされるものであった。
【００１２】
　この出願の発明に関連する先行技術文献としては次のものが知られている。
【特許文献１】実開平３−１０４７９９号公報
【発明の開示】
【発明が解決しようとする課題】
【００１３】
　しかしながら、上記従来の構成の電子部品用端子では、上記図９（ａ），（ｂ）に示したようにプリント配線基板７の取付孔８に電子部品の板状の端子２を挿入して先端部２Ｃを折曲げて半田付けした後、端子２の不要な部分を切断用カッターにて切断する（切断してから半田付けする場合もある）ものであるが、この時、金属板を打抜き加工した板状の端子２は角形断面であるために切断時の抵抗が大きく、切断用カッターの部分的摩耗が激しく、カッターを頻繁に交換しなければならず、また、折曲げの方向にも偏りがあった。
【００１４】
　更に、表裏両面にメッキ層を有する金属板を打抜き加工した板状の端子２であるため、側面の破断部にはメッキがなく、全周にメッキ層を有する端子に比べて半田付け時の半田の濡れ性が悪いという課題があった。
【００１５】
　本発明はこのような従来の課題を解決するものであり、表裏両面にメッキ層を有する金属板を打抜き加工した端子でありながら、端子の切断時にカッターの摩耗が少なく、折曲げの方向に偏りがなく、しかも半田の濡れ性がよい電子部品用端子を提供することを目的とするものである。
【課題を解決するための手段】
【００１６】
　上記課題を解決するために本発明の電子部品用端子は、本体部の一端に電子部品に接続される接続部を、他端にテーピング部材に貼付けられるテーピング部を有し、上記接続部ならびにテーピング部が角形断面に形成されて表裏両面にのみメッキ層を有し、かつ本体部の少なくとも一部が円形または多角形断面に形成されて全周がメッキ層にて覆われた構成の電子部品用端子としたものである。
【発明の効果】
【００１７】
　本発明の電子部品用端子は、プリント配線基板への実装時に切断される部分や折曲げる部分は円形（または多角形）断面とするものであるから、切断用カッターの摩耗が少なくて交換頻度が少なくなると共に、折曲げも任意の指定方向に安定して曲げることができ、更に半田付けする部分は、全周メッキ層で覆われて破断面の部分も殆どメッキ層で覆われるため半田の濡れ性がよく、信頼性も高い。
【００１８】
　また、プリント配線基板の取付孔に挿入する際に案内となる先端部は円形断面であるから確実に挿入できると共に、挿入された後、取付孔に嵌合する部分は角形断面であるから、孔の周囲に食い込みガタツキが少ない。
【００１９】
　更に、自動実装用としてテーピングする場合に、粘着テープで台紙に貼付ける部分は角形断面で、広幅にすることもできるから強固に貼付けることができる等の効果を有するものであり、非常に実用的価値の高いものである。
【発明を実施するための最良の形態】
【００２０】
　以下本発明の一実施の形態による電子部品用端子について、この電子部品用端子を備えた電子部品の一例としてプッシュオンスイッチを例として、図面を参照しながら説明する。
【００２１】
　図１は自動実装用としてテーピングされたプッシュオンスイッチを示し、（ａ）は正面図、（ｂ）は側面図、図２は同側面断面図である。
【００２２】
　同図において、１１は成形樹脂よりなるスイッチケースで、その内部には二つの固定接点１２，１３および可動接点１４が組込まれ、スイッチケース１１の開口面にはカバー１５がカシメ固定され、その中央孔から操作ノブ１６が上方に突出している。
【００２３】
　そして二つの固定接点１２，１３と一体に連なった二本の端子１７，１８の角形の接続部１７Ａ，１８Ａがスイッチケース１１の底面から引出され、下方に折曲げられてその先端広幅テーピング部１７Ｂ，１８Ｂが粘着テープ１９によりテーピング台紙２０に固定されると共に、その中間の二ヶ所１７Ｃ，１８Ｃおよび１７Ｄ，１８Ｄは円形断面にフォーミング加工されている。
【００２４】
　次に、このプッシュオンスイッチの製造方法を説明する。
【００２５】
　まず、接点部１２，１３の接触を安定させ、端子部１７，１８の半田の濡れ性を良くする銀メッキ等のメッキ層２１，２２を表裏両面に有する金属フープ板を、図３に示すような形にプレス加工して、固定接点部１２，１３および板状の端子部１７Ｅ，１８Ｅを連続して設けたものを成形金型にセットしてスイッチケース１１を樹脂成形することにより、スイッチケース１１に固定接点１２，１３と板状の端子１７Ｅ，１８Ｅがインサート成形された状態で成形される。
【００２６】
　そして、テーピングされたプッシュオンスイッチを自動実装機によりプリント配線基板に組込む際に、プッシュオンスイッチをテーピング部材から分離するために切離す端子の下方部１７Ｃ，１８Ｃおよびこの端子１７，１８をプリント配線基板の取付孔に挿入後に抜けないように折曲げる上方部１７Ｄ，１８Ｄを、各々角形断面の表裏両面から圧延成形（フォーミング）して円形断面に加工する。
【００２７】
　この加工方法を図４（ａ）〜（ｃ）により説明すると、板状端子１７Ｅ，１８Ｅの円形に加工すべき部分を、まず同図（ａ）に示すように、三角形の山形をした上下の成形（フォーミング）金型２３の間に挟み込んで略六角形断面２４に圧延成形加工し、次に同図（ｂ）に示すように半円形の上下成形金型２５の間に挟み込んでほぼ円形断面２６に圧延成形加工するものである。
【００２８】
　これに伴って、板状端子１７Ｅ，１８Ｅの表裏両面のメッキ層２１，２２は、図４（ｃ）に示すように、圧延成形（フォーミング）加工に伴って延ばされ、円形断面２６となった状態においてはほぼ全周を覆うようになる。
【００２９】
　このようにして加工された端子部１７，１８の詳細を図５に示す（黒く塗った部分はメッキ層を示す。）。
【００３０】
　このように作られた端子部１７，１８を有するスイッチケース１１に可動接点１４および操作ノブ１６を組込み、カバー１５をカシメ固定することによってプッシュオンスイッチとして完成し（図２参照）、リード端子部１７，１８の先端広幅部１７Ｂ，１８Ｂを粘着テープ１９によりテーピング台紙２０に貼付けて（図１参照）、自動実装用部品としてセットメーカに供給される。
【００３１】
　セットメーカでは、テーピングされた状態のプッシュオンスイッチを自動実装機に供給して端子１７，１８の下方の円形断面部１７Ｃ，１８Ｃをカッターで切断し、図６に示すように、この円形断面部１７Ｃ，１８Ｃを案内としてプリント配線基板２６の取付孔２７に挿入し、更に図７に示すように、取付孔２７から抜けないように上方の円形断面部１７Ｄ，１８Ｄで所定の方向に折曲げると共に、この部分で再度切断してから、折曲げ部１７Ｄ，１８Ｄをプリント配線基板２６の半田付け用ランド部２８に半田付け接続するものである。
【００３２】
　なお、上記の実施の形態では、金属板をプレス加工してスイッチの固定接点１２，１３および二本の板状の端子１７Ｅ，１８Ｅを連続して設けたもの（図３に示す）を成形樹脂製スイッチケース１１にインサート成形した後、端子部１７，１８の下方部１７Ｃ，１８Ｃおよび上方部１７Ｄ，１８Ｄを角形断面から円形断面に圧延成形加工する製造方法を説明したが、これは、金属板を図３に示す形状にプレス加工した状態、すなわちスイッチケース１１にインサート成形する前に行ってもよいことは勿論である。
【００３３】
　また、角形断面の端子部１７Ｅ，１８Ｅを圧延成形加工する形状は、使用する電子部品の状況によっては、円形でなくて六角形、八角形等の多角形でもよいものである。
【産業上の利用可能性】
【００３４】
　本発明の電子部品用端子は、カッターの摩耗を著しく低減できると共に、端子先端の折曲げ方向が偏らず、更に、半田付け時の半田濡れ性をよくすることができるため、プリント基板への実装性に優れ、かつ半田付性に優れた電子部品を実現することができる。
【図面の簡単な説明】
【００３５】
【図１】（ａ）本発明の一実施の形態による電子部品用端子を備えた電子部品の一例であるプッシュオンスイッチの正面図、（ｂ）同側面図
【図２】同側面断面図
【図３】同実施の形態による電子部品用端子の加工方法を示す平面図
【図４】同要部である板状端子部の圧延成形加工方法と加工状態を説明する断面図
【図５】同電子部品用端子の要部斜視図
【図６】同実装時に端子部の円形断面部を切断した状態の側面図
【図７】（ａ）同実装状態を示す一部断面側面図、（ｂ）同下面図
【図８】（ａ）従来の電子部品用端子を備えた電子部品の例であるプッシュオンスイッチの正面図、（ｂ）同側面図
【図９】（ａ）同実装状態を示す一部断面側面図、（ｂ）同下面図
【符号の説明】
【００３６】
　１１　スイッチケース
　１２，１３　固定接点
　１４　可動接点
　１５　カバー
　１６　操作ノブ
　１７，１８　端子
　１７Ａ，１８Ａ　角形接続部
　１７Ｂ，１８Ｂ　先端テーピング部
　１７Ｃ，１８Ｃ　下方円形断面部
　１７Ｄ，１８Ｄ　上方円形断面部
　１９　粘着テープ
　２０　テーピング台紙
　２１，２２　メッキ層
【図１】
2004146389.tif 000003
【図２】
2004146389.tif 000004
【図３】
2004146389.tif 000005
【図４】
2004146389.tif 000006
【図５】
2004146389.tif 000007
【図６】
2004146389.tif 000008
【図７】
2004146389.tif 000009
【図８】
2004146389.tif 000010
【図９】
2004146389.tif 000011